【手続補正書】
【提出日】平成16年4月16日(2004.4.16)
【手続補正１】
【補正対象書類名】明細書
【補正対象項目名】発明の名称
【補正方法】変更
【補正の内容】
【発明の名称】撮像装置コントローラおよび撮像装置
【手続補正２】
【補正対象書類名】明細書
【補正対象項目名】特許請求の範囲
【補正方法】変更
【補正の内容】
【特許請求の範囲】
【請求項１】
伝送路を介して接続された撮像手段の撮影する方向を制御するための撮像装置コントローラにおいて、
上記撮像手段の撮像する方角を制御する駆動手段と、
上記駆動手段を制御することによって、上記撮像手段の映出する映像を選択する映像選択手段とを有し、
任意の時点で更新可能なパノラマ画像と、撮像範囲を代表する基準パノラマ画像とを選択して、あるいは両方同時に操作者に提示するようにしたことを特徴とする撮像装置コントローラ。
【請求項２】
請求項１に記載の撮像装置コントローラにおいて、
上記基準パノラマ画像は、
時刻を変えて撮影した複数枚のパノラマ画像から自動的に選択するようにしたことを特徴とする撮像装置コントローラ。
【請求項３】
請求項１に記載の撮像装置コントローラにおいて、
上記基準パノラマ画像は、
時刻を変えて撮影した複数枚のパノラマ画像から平均処理または多数決などのフィルタにより合成するようにしたことを特徴とする撮像装置コントローラ。
【請求項４】
請求項１に記載の撮像装置コントローラにおいて、
上記パノラマ画像または上記基準パノラマ画像に対応する操作領域を有し、
上記操作領域上に任意の一点を指定することで、上記任意の一点に対応する位置の被写体を、上記駆動手段の任意の位置座標に移動するようにしたことを特徴とする撮像装置コントローラ。
【請求項５】
請求項１に記載の撮像装置コントローラにおいて、
上記パノラマ画像または上記基準パノラマ画像に対応する操作領域を有し、
上記操作領域上に任意の領域を指定することで、上記任意の領域から生成される任意の一点に対応する位置の被写体を、上記駆動手段の任意の位置座標に移動するようにしたことを特徴とする撮像装置コントローラ。
【請求項６】
請求項１に記載の撮像装置コントローラにおいて、
上記撮像手段の映出している現在位置を、上記パノラマ画像または上記基準パノラマ画像に表示することで、上記撮像手段の状況を把握する状態表示手段を有することを特徴とする撮像装置コントローラ。
【請求項７】
請求項１に記載の撮像装置コントローラにおいて、
上記駆動手段の可動範囲を、上記パノラマ画像または上記基準パノラマ画像に表示することで、上記撮像手段の上記撮像手段の状況を把握する状態表示手段を有することを特徴とする撮像装置コントローラ。
【請求項８】
請求項１に記載の撮像装置コントローラにおいて、
上記撮像手段の撮影している画角を、上記パノラマ画像または上記基準パノラマ画像に表示することで、上記撮像手段の上記撮像手段の状況を把握する状態表示手段を有することを特徴とする撮像装置コントローラ。
【請求項９】
請求項１に記載の撮像装置コントローラにおいて、
さらに、上記パノラマ画面または上記基準パノラマ画面上に上記撮像手段の映出する現在の映像をはめ込んだ操作領域を設け、
上記操作領域において、指定した任意の一点に上記撮像手段の方向を向けるように制御することを特徴とする撮像装置コントローラ。
【請求項１０】
請求項１に記載の撮像装置コントローラにおいて、
さらに、上記パノラマ画面または上記基準パノラマ画面上に上記撮像手段の映出する現在の映像をはめ込んだ操作領域を設け、
上記操作領域において、任意の領域を指定することで、上記任意の領域から生成される任意の一点に上記撮像手段の方向を向けるように制御することを特徴とする撮像装置コントローラ。
【請求項１１】
伝送路を介して接続された撮像手段の撮影する方向を制御するための撮像装置において、
上記撮像手段の撮像する方角を制御する駆動手段と、
上記駆動手段を制御することによって、上記撮像手段の映出する映像を選択する映像選択手段とを有し、
任意の時点で更新可能なパノラマ画像と、撮像範囲を代表する基準パノラマ画像とを選択して、あるいは両方同時に操作者に提示するようにしたことを特徴とする撮像装置。
【請求項１２】
請求項１１に記載の撮像装置において、
上記基準パノラマ画像は、
時刻を変えて撮影した複数枚のパノラマ画像から自動的に選択するようにしたことを特徴とする撮像装置。
【請求項１３】
請求項１１に記載の撮像装置において、
上記基準パノラマ画像は、
時刻を変えて撮影した複数枚のパノラマ画像から平均処理または多数決などのフィルタにより合成するようにしたことを特徴とする撮像装置。
【請求項１４】
請求項１１に記載の撮像装置において、
上記パノラマ画像または上記基準パノラマ画像に対応する操作領域を有し、
上記操作領域上に任意の一点を指定することで、上記任意の一点に対応する位置の被写体を、上記駆動手段の任意の位置座標に移動するようにしたことを特徴とする撮像装置。
【請求項１５】
請求項１１に記載の撮像装置において、
上記パノラマ画像または上記基準パノラマ画像に対応する操作領域を有し、
上記操作領域上に任意の領域を指定することで、上記任意の領域から生成される任意の一点に対応する位置の被写体を、上記駆動手段の任意の位置座標に移動するようにしたことを特徴とする撮像装置。
【請求項１６】
請求項１１に記載の撮像装置において、
上記撮像手段の映出している現在位置を、上記パノラマ画像または上記基準パノラマ画像に表示することで、上記撮像手段の状況を把握する状態表示手段を有することを特徴とする撮像装置。
【請求項１７】
請求項１１に記載の撮像装置において、
上記駆動手段の可動範囲を、上記パノラマ画像または上記基準パノラマ画像に表示することで、上記撮像手段の上記撮像手段の状況を把握する状態表示手段を有することを特徴とする撮像装置。
【請求項１８】
請求項１１に記載の撮像装置において、
上記撮像手段の撮影している画角を、上記パノラマ画像または上記基準パノラマ画像に表示することで、上記撮像手段の上記撮像手段の状況を把握する状態表示手段を有することを特徴とする撮像装置。
【請求項１９】
請求項１１に記載の撮像装置において、
さらに、上記パノラマ画面または上記基準パノラマ画面上に上記撮像手段の映出する現在の映像をはめ込んだ操作領域を設け、
上記操作領域において、指定した任意の一点に上記撮像手段の方向を向けるように制御することを特徴とする撮像装置。
【請求項２０】
請求項１１に記載の撮像装置において、
さらに、上記パノラマ画面または上記基準パノラマ画面上に上記撮像手段の映出する現在の映像をはめ込んだ操作領域を設け、
上記操作領域において、任意の領域を指定することで、上記任意の領域から生成される任意の一点に上記撮像手段の方向を向けるように制御することを特徴とする撮像装置。
【手続補正３】
【補正対象書類名】明細書
【補正対象項目名】０００１
【補正方法】変更
【補正の内容】
【０００１】
【発明の属する技術分野】
この発明は、あらゆるビデオカメラでの撮影用途に利用が可能であり、特に回線を利用した遠隔地にあるビデオカメラでの監視、観察、案内、紹介等の用途に、より良い操作性と、視認性を実現できる撮像装置コントローラおよび撮像装置に関する。


【手続補正４】
【補正対象書類名】明細書
【補正対象項目名】０００６
【補正方法】変更
【補正の内容】
【０００６】
そこで、この発明の目的は、既に生成されている複数のパノラマ画像の中から最適なパノラマ画像を基準パノラマ画像とし、その基準パノラマ画像をモニタに表示できるようにした撮像装置コントローラおよび撮像装置を提供することにある。


【手続補正５】
【補正対象書類名】明細書
【補正対象項目名】０００７
【補正方法】変更
【補正の内容】
【０００７】
【課題を解決するための手段】
請求項１に記載の発明は、伝送路を介して接続された撮像手段の撮影する方向を制御するための撮像装置コントローラにおいて、撮像手段の撮像する方角を制御する駆動手段と、駆動手段を制御することによって、撮像手段の映出する映像を選択する映像選択手段とを有し、任意の時点で更新可能なパノラマ画像と、撮像範囲を代表する基準パノラマ画像とを選択して、あるいは両方同時に操作者に提示するようにしたことを特徴とする撮像装置コントローラである。
請求項１１に記載の発明は、伝送路を介して接続された撮像手段の撮影する方向を制御するための撮像装置において、撮像手段の撮像する方角を制御する駆動手段と、駆動手段を制御することによって、撮像手段の映出する映像を選択する映像選択手段とを有し、任意の時点で更新可能なパノラマ画像と、撮像範囲を代表する基準パノラマ画像とを選択して、あるいは両方同時に操作者に提示するようにしたことを特徴とする撮像装置である。